【手続補正書】
【提出日】平成21年1月22日(2009.1.22)
【手続補正１】
【補正対象書類名】明細書
【補正対象項目名】００２７
【補正方法】変更
【補正の内容】
【００２７】
情報受信装置１４０は、例えば、携帯電話やＰＤＡ（Personal  Digital  Assistant）等の通信機能を有する携帯情報端末である。情報受信装置１４０は、情報配信装置１２０より配信されたイベント情報を受信し、ＬＣＤディスプレイ等の表示部に受信したイベント情報を表示させる。また、情報受信装置１４０は、ＧＰＳ衛星１２や携帯電話事業者により設置される基地局１４から自らの現在位置を示す位置情報を取得し、取得した位置情報と取得時間の情報を情報配信装置１２０に通知する。
【手続補正２】
【補正対象書類名】明細書
【補正対象項目名】００３５
【補正方法】変更
【補正の内容】
【００３５】
配信端末選択部１２８は、位置情報受信部１２２により受信された情報受信装置１４０の位置情報及び位置情報の取得日時とに基づいて、イベント情報記憶部１２６に格納されているイベント情報を配布する情報受信装置を選択する。具体的には、配信端末選択部１２８は、イベント情報記憶部１２６に記憶されているイベント情報の配信端末位置の範囲を参照し、位置情報記憶部１２４に記憶されている各情報受信装置１４０の位置情報が範囲内に該当するか否かを判定する。もし、配信端末位置の範囲内に該当する位置情報があった場合、その位置情報の取得日時がイベントの実行日時よりも前であるか否かを判定し、前である場合は、その情報受信装置１４０をイベント情報の配信端末として選択する。イベント情報配信部１３０は、配信端末選択部１２８により選択された情報受信装置にイベント情報を配信する。
【手続補正３】
【補正対象書類名】明細書
【補正対象項目名】００４８
【補正方法】変更
【補正の内容】
【００４８】
上述した第１の実施形態においては、配信端末選択部１２８は、情報受信装置１４０から送信される過去の位置情報がイベント情報の配信端末位置の範囲に含まれるか否かによって配信端末を選択するものとして説明したが、上述の方法によって配信端末を選択した後に、さらに位置情報以外の情報を用いて配信端末の絞込みを行うようにしてもよい。
【手続補正４】
【補正対象書類名】明細書
【補正対象項目名】００４９
【補正方法】変更
【補正の内容】
【００４９】
例えば、各情報受信装置１４０は、予めユーザの年齢、性別、居住地、趣味、職業等の属性情報を情報配信装置１２０に登録しておき、情報配信装置１２０の配信端末選択部１２８は、それらの属性情報とイベント情報に含まれる配信条件の情報とを比較して、配信条件に合致する属性情報を持つユーザの情報受信装置１４０を配信端末として選択するようにしてもよい。
【手続補正５】
【補正対象書類名】明細書
【補正対象項目名】００５１
【補正方法】変更
【補正の内容】
【００５１】
図５に示す情報配信装置１２０は、属性情報記憶部１３２をさらに設け、属性情報記憶部１３２に記憶された各情報受信装置１４０の属性情報を用いてイベント情報を配信する端末をさらに絞り込むようにした点が図２に示す情報配信装置１２０と異なる。また、図６に示す情報受信装置１４０は、属性情報登録部１５４をさらに設け、情報配信装置１２０に予めユーザの属性情報を登録するようにした点が図３に示す情報受信装置１４０と異なる。
【手続補正６】
【補正対象書類名】明細書
【補正対象項目名】００５２
【補正方法】変更
【補正の内容】
【００５２】
情報受信装置１４０の属性情報登録部１５４は、情報受信装置１４０に備えられたキーボード、マウス、マイクロホン等の入力部（図示せず）から入力されたり、ネットワークを介して情報受信装置１４０に送信されたユーザの属性情報のデータを情報配信装置１２０に送信し登録する。ユーザの属性情報とは、例えば、ユーザの年齢、性別、居住地、職業、趣味、嗜好等の情報である。情報配信装置１２０は、情報受信装置１４０の属性情報登録部１５４によって送信された属性情報のデータを受信し、各情報受信装置１４０を示す情報（ＩＤ、ユーザ名等）と対応付けて属性情報記憶部１３２に記憶させる。
【手続補正７】
【補正対象書類名】明細書
【補正対象項目名】００５７
【補正方法】変更
【補正の内容】
【００５７】
次いで、配信端末選択部１２８は、ステップＳ２３０〜Ｓ２３２で選択された情報受信装置１４０の属性情報とイベント情報の配信条件を比較する（ステップＳ２３４）。ここで、属性情報記憶部１３２に登録されている属性情報が配信条件に合致すれば、その情報受信装置が配信端末として選択され、イベント情報が配信される（ステップＳ２３６）。これにより、指定された場所を過去に訪れた人の中からイベントに興味を持ちそうな人をさらに絞り込んでイベント情報を配信することができるため、イベント情報の広告効果をさらに向上させることが可能となる。
【手続補正８】
【補正対象書類名】明細書
【補正対象項目名】００６２
【補正方法】変更
【補正の内容】
【００６２】
ステップＳ２４８〜Ｓ２５０の処理によりイベント情報を配信する情報受信装置１４０を選択した後、情報配信装置１２０の位置情報要求部１３４は、各情報受信装置１４０に対して現在位置の位置情報を送信するように要求する（ステップＳ２５２）。次いで、ステップＳ２５２で得られた各情報受信装置１４０の現在位置情報とイベント情報に含まれるイベントの実行場所とを比較し、情報受信装置１４０がイベント実行場所から所定の距離範囲内にあるか否かを判定する（ステップＳ２５４）。判定は、情報受信装置１４０の現在位置とイベント実行場所の物理的な距離を用いて行ってもよく、あるいは、情報受信装置１４０の現在位置からイベント実行場所までの移動にかかる時間を算出し、移動距離あるいは移動所要時間によって行ってもよい。
【手続補正９】
【補正対象書類名】明細書
【補正対象項目名】００６３
【補正方法】変更
【補正の内容】
【００６３】
ステップＳ２５４の判定処理において距離が一定以下であると判定されたら、情報配信装置１２０のイベント情報配信部１３０は、その情報受信装置１４０にイベント情報を配信する（ステップＳ２５６）。一方、距離が一定より大きいのであれば、その情報受信装置１４０にはイベント情報を配信しない。
【手続補正１０】
【補正対象書類名】明細書
【補正対象項目名】００９７
【補正方法】変更
【補正の内容】
【００９７】
次いで、移動時間計算部１５８は、ステップＳ３０２で取得した情報受信装置１４０の現在位置から、イベント情報記憶部１５２に記憶されたイベント情報のイベント実行場所までの移動にかかる時間を計算する（ステップＳ３０４）。次いで、表示時間決定部１６０は、ステップＳ３０４で計算された移動所要時間に基づいて、イベント情報のリマインダを表示させる時間を決定する（ステップＳ３０６）。
【手続補正１１】
【補正対象書類名】明細書
【補正対象項目名】００９８
【補正方法】変更
【補正の内容】
【００９８】
ここで、計算された表示時間が現在時刻よりも大きい、即ち現在時刻が既に表示時間を過ぎているか否かを判定する（ステップＳ３０８）。現在時刻が既に表示時間を過ぎている場合は、リマインダの表示処理を終了する。あるいは、ステップＳ３０２に戻り、新たに取得される位置情報に基づいてリマインダ表示時間を計算する処理を繰り返してもよい。
【手続補正１２】
【補正対象書類名】明細書
【補正対象項目名】００９９
【補正方法】変更
【補正の内容】
【００９９】
一方、ステップＳ３０８で、表示時間が現在時刻以下、即ち現在時刻が表示時間を過ぎていない場合、ステップＳ３０６で決定された表示時間が来るまで待機し（ステップＳ３１０）、表示時間が到来したらイベント情報記憶部１５２からイベント情報を読み出して表示部１５０に表示させる（ステップＳ３１２）。その後、再びステップＳ３０２に戻って、新たに取得される位置情報に基づいてリマインダ表示時間を計算する処理を繰り返す。あるいは、一度リマインダを表示したイベント情報については複数回リマインダが表示されないように処理を終了してもよい。